(57)【要約】【課題】  より多くの情報を表示させることが可能なシュリンクラベルの構造を提供することである。【解決手段】  シュリンクラベル１は、少なくとも表面上に表示部を備えた熱収縮性フィルムからなる。熱収縮性フィルムの一方端部と他方端部とがほぼ対向するように熱収縮性フィルムを折り曲げることによって折り返し部分Ｆが形成されている。熱収縮性フィルムの一方端部と折り返し部分Ｆとが接着剤層１７によって接着され、一方端部の近傍と他方端部とが接着剤層１６によって接着されることによって筒状体を形成している。【選択図】        図３
2005099561.tif 000002
【特許請求の範囲】
【請求項１】
少なくとも表面上に表示部を備えた熱収縮性フィルムからなるシュリンクラベルであって、
前記熱収縮性フィルムの一方端部と他方端部とがほぼ対向するように前記熱収縮性フィルムを折り曲げることによって折り返し部分が形成されており、
前記熱収縮性フィルムの一方端部と前記折り返し部分とが接着され、前記一方端部の近傍と前記他方端部とが接着されることによって筒状体を形成している、シュリンクラベル。
【請求項２】
前記熱収縮性フィルムの一方端部から折り返し部分までの領域が前記筒状体の外部に露出する外側フィルム部分を形成し、前記熱収縮性フィルムの折り返し部分から他方端部までの領域が前記筒状体の内部に露出する内側フィルム部分を形成している、請求項１に記載のシュリンクラベル。
【請求項３】
前記外側フィルム部分の内側面に裏刷りの印刷層が形成されている、請求項２に記載のシュリンクラベル。
【請求項４】
前記裏刷りの印刷層の表面上に表刷りの印刷層が形成されている、請求項３に記載のシュリンクラベル。
【請求項５】
前記内側フィルム部分の内側面に裏刷りの印刷層が形成されている、請求項２から請求項４までのいずれか１項に記載のシュリンクラベル。
【発明の詳細な説明】
【技術分野】
【０００１】
この発明は、シュリンクラベルに関し、特定的には少なくとも表示部を備えた熱収縮性フィルムからなるシュリンクラベルに関するものである。
【背景技術】
【０００２】
従来から、飲料、食料、薬剤等は液体、粉末等の形態でペット（ＰＥＴ）ボトル等の容器に入れられて販売されている。この場合、容器に入れられた内容物の商品名、成分、使用方法等を表示するための表示部を備えたラベルが容器の外表面に付着されている。このようなラベルの一つとしてシュリンクラベルが従来から用いられている。
【０００３】
この種の従来のシュリンクラベルは、たとえば特開平１０−３１９８４８号公報（特許文献１）に記載されているように、図５に示す構造を有する。図５は、従来のシュリンクラベルの横断面を示す断面図である。
【０００４】
図５に示すように、シュリンクラベル２は、熱収縮性フィルムが扁平した筒状体を形成するように一周よりも約半周分だけ多く巻かれた状態で構成される。具体的には、筒状体の外部に露出する外側フィルム２１の一部（図５では約半周分）が筒状体の内部に露出する内側フィルム２２に重なるようにフィルムが巻かれている。筒状体の内部に容器を挿入することによって、シュリンクラベル２が容器の外表面に付着される。
【０００５】
フィルムの一方端である外側フィルム２１の端部が内側フィルム２２の外側面２２１に接着剤層２７によって接着され、フィルムの他方端である内側フィルム２２の端部が外側フィルム２１の内側面２１２に接着剤層２６によって接着されている。内側フィルム２２に重なる外側フィルム２１の部分にはミシン目２８と２９が形成されている。また、内側フィルム２２に重なる外側フィルム２１の部分において、内側フィルム２２と対向する内側面２１２の表面上には、筒状体の約半周分の領域において裏刷り層２３が表示部として形成されている。裏刷り層２３の表面上には表刷り層２４が表示部として形成されている。外側フィルム２１の内側面２１２と内側フィルム２２の内側面２２２の表面上には、筒状体のほぼ一周分の領域において裏刷り層２５が表示部として形成されている。ここで、裏刷り層２３と２５は、外側フィルム２１の外側面２１１の表面上で矢印Ｓに示す方向から見た場合に、透明な外側フィルム２１を通じて、裏刷り層２３と２５によって表示された図柄、文字等の記載内容を見る、または読むことができるように印刷されている。表刷り層２４は、外側フィルム２１の外側面２１１の表面上で矢印Ｓに示す方向から見た場合には、表刷り層２４によって表示された図柄、文字等の記載内容を見る、または読むことができないように印刷されているが、表刷り層２４の表面上で矢印Ｓに示す方向とは逆の方向から見た場合には、表刷り層２４によって表示された図柄、文字等の記載内容を見る、または読むことができるように印刷されている。
【０００６】
上述のように構成されたシュリンクラベル２では、図６に示すように、ミシン目２８と２９を切り裂くと、矢印Ｒに示す方向から表刷り層２４を見ることができ、その場合に表刷り層２４によって表示された図柄、文字等の記載内容を見る、または読むことができる。
【０００７】
このようにして、従来のシュリンクラベル２は、容器の外周面の大きさ、すなわち、フィルムによって形成される筒状体の外周面の大きさよりも大きい表示部の面積を確保するために、フィルムが一周よりも約半周分だけ多く巻かれた状態で構成されている。図６に示すように、約半周分だけ多く巻かれた外側フィルム２１の部分に裏刷り層２３と表刷り層２４を形成することによって、矢印Ｓに示す方向からだけでなく、矢印Ｒに示す方向からも見る、または読むことができるように表刷り層２４の分だけ表示内容を増加させている。
【０００８】
ところで、近年、製造物責任の要求に伴って、ラベルには、商品名、製造会社名だけでなく、成分、原材料、使用方法、保存方法、品質、注意事項等の種々の情報を表示して消費者に伝達することが求められている。
【０００９】
しかしながら、上記の従来のシュリンクラベルでは、容器の外周面の約半周分だけ表示内容を増加させているが、それ以上増加させることができないという問題があった。また、容器の大きさに依存しないで、より多くの種々の情報を表示させることは困難であるという問題があった。
【特許文献１】特開平１０−３１９８４８号公報
【発明の開示】
【発明が解決しようとする課題】
【００１０】
そこで、この発明の目的は、より多くの情報を表示させることが可能なシュリンクラベルの構造を提供することである。
【課題を解決するための手段】
【００１１】
この発明に従ったシュリンクラベルは、少なくとも表面上に表示部を備えた熱収縮性フィルムからなるシュリンクラベルである。熱収縮性フィルムの一方端部と他方端部とがほぼ対向するように熱収縮性フィルムを折り曲げることによって折り返し部分が形成されている。熱収縮性フィルムの一方端部と折り返し部分とが接着され、一方端部の近傍と他方端部とが接着されることによって筒状体を形成している。
【００１２】
この発明のシュリンクラベルによれば、折り返し部分を形成することによって、筒状体のほぼ全周にわたってフィルムを重ねて構成することができる。このため、筒状体のほぼ全周にわたって重ねられた領域分、フィルムの表面積を増加させることができ、これにより表示部の領域を増加させることができる。したがって、従来のシュリンクフィルムよりも表示部の領域を増加させることができるので、より多くの情報を表示させることができる。
【００１３】
また、この発明のシュリンクラベルにおいては、筒状体のほぼ全周にわたって重ねられたフィルムの間に情報を記載した表示物を介在させることができる。これにより、筒状体の外周面の大きさ、すなわち、容器の外周面の大きさに依存することなく、重ねられたフィルム間に介在する表示物の表面積によって、より多くの情報を表示させることができる。
【００１４】
さらに、この発明のシュリンクラベルにおいては、筒状体のほぼ全周にわたってフィルムが重ねられた状態で構成されるので、重ねられたフィルムのうち、内側に位置するフィルムの部分に表示部を設けて、この表示部が外側に位置するフィルムの部分を通じて見ることができないようにすることが可能である。これにより、筒状体のほぼ全周にわたって外部から見えないように文字、図柄等の表示内容を隠し、または隠蔽することができる。
【００１５】
この発明のシュリンクラベルにおいては、熱収縮性フィルムの一方端部から折り返し部分までの領域が筒状体の外部に露出する外側フィルム部分を形成し、熱収縮性フィルムの折り返し部分から他方端部までの領域が筒状体の内部に露出する内側フィルム部分を形成しているのが好ましい。
【００１６】
また、この発明のシュリンクラベルにおいては、外側フィルム部分の内側面に裏刷りの印刷層が形成されているのが好ましい。
【００１７】
さらに、この発明のシュリンクラベルにおいては、裏刷りの印刷層の表面上に表刷りの印刷層が形成されているのが好ましい。
【００１８】
この発明のシュリンクラベルにおいては、内側フィルム部分の内側面に裏刷りの印刷層が形成されているのが好ましい。
【発明の効果】
【００１９】
以上のように、この発明によれば、従来のシュリンクフィルムよりも表示部の領域を増加させることができるので、より多くの情報を表示させることができる。また、容器の外周面の大きさに依存することなく、重ねられたフィルム間に介在する表示物の表面積によって、より多くの情報を表示させることができる。さらに、筒状体のほぼ全周にわたって表示内容が外部から見えないように文字、図柄等を隠し、または隠蔽することができる。
【発明を実施するための最良の形態】
【００２０】
この発明の一つの実施の形態を図１〜図４に基づいて説明する。
【００２１】
図１〜図３は、本発明の一つの実施の形態に従ったシュリンクラベルの横断面を製造工程順に示す図である。図３は、完成したシュリンクラベルの横断面を示す図である。以下、製造工程に従ってシュリンクラベルの構造を説明する。
【００２２】
図１に示すように、まず、一枚の熱収縮性フィルムにおいて、完成品としてのシュリンクラベル１の外側フィルム１１と内側フィルム１２を構成する領域を、後工程で形成される半折部Ｆ、すなわち折り返し部分Ｆの両側に設定する。外側フィルム１１の内側面１１２となる領域の表面上には裏刷り層１３が印刷によって形成されている。裏刷り層１３の上には表刷り層１４が印刷によって形成されている。外側フィルム１１の内側面１１２となる領域の表面上の端部には接着剤層１７が形成されている。内側フィルム１２の内側面１２２となる領域の表面上には裏刷り層１５が印刷によって形成されている。内側フィルム１２の外側面１２１となる領域の表面上の端部には接着剤層１６が形成されている。
【００２３】
表刷り層１４は、矢印Ｐに示す方向から見た場合に図柄、文字等の記載内容を見る、または読むことができるように形成されている。裏刷り層１３は、矢印Ｑに示す方向から透明の外側フィルム１１を通じて見た場合に図柄、文字等の記載内容を見る、または読むことができるように形成されている。裏刷り層１５は、矢印Ｐに示す方向から透明の内側フィルム１２を通じてみた場合に図柄、文字等の記載内容を見る、または読むことができるように形成されている。外側フィルム１１の端部付近には、ミシン目１８と１９が形成されている。
【００２４】
次に、図２に示すように、フィルムをほぼ半分に折り曲げることによって、半折部Ｆ、すなわち折り返し部分Ｆを形成する。その後、接着剤層１６を介在させて内側フィルム１２の外側面１２１となる領域を外側フィルム１１の内側面１１２に接着する。このとき、外側フィルム１１の内側面１１２の表面上に形成された裏刷り層１３の表面上に内側フィルム１２の外側面１２１となる領域を接着させてもよい。外側フィルム１１の内側面１１２の表面上においてミシン目１８と１９よりも外側に接着剤層１６を位置づける。このようにして、フィルムの一方端部と他方端部とがほぼ対向するようにフィルムを折り曲げることによって折り返し部分Ｆを形成する。
【００２５】
その後、図３に示すように、フィルムの一方端部に位置する外側フィルム１１の内側面１１２の表面上に形成された接着剤層１７が折り返し部分Ｆに対向するように、図２に示された半折りフィルムをさらに折り曲げる。そして、折り返し部分Ｆの近傍で外側フィルム１１の外側面１１１に接着剤層１７を介在させて外側フィルム１１の内側面１１２を接着する。このようにして、フィルムの一方端部である外側フィルム１１の内側面１１２の端部表面と折り返し部分Ｆの近傍とを接着することによって筒状体を形成する。シュリンクラベル１が完成する。
【００２６】
図３のシュリンクラベル１において、矢印Ｓに示す方向から外側フィルム１１を通じて裏刷り層１３に記載された表示内容を見る、または読むことができる。しかし、表刷り層１４に記載された表示内容は、矢印Ｓに示す方向から見る、または読むことができない。また、裏刷り層１５に記載された表示内容も、矢印Ｓに示す方向から見る、または読むことができない。したがって、表刷り層１４と裏刷り層１５に記載された内容をシュリンクラベル１の外部から見えないように隠す、または隠蔽することができる。このように、重ねられたフィルムのうち、内側に位置するフィルムの部分に表示部を設けて、この表示部が外側に位置するフィルムの部分を通じて見ることができないようにすることが可能である。これにより、筒状体のほぼ全周にわたって外部から見えないように文字、図柄等の表示内容を隠し、または隠蔽することができる。
【００２７】
また、図３に示すように、本発明のシュリンクラベル１においては、折り返し部分Ｆを形成することによって、筒状体のほぼ全周にわたってフィルムを重ねて構成することができる。このため、筒状体のほぼ全周にわたって、外側フィルム１１の内側面１１２と内側フィルム１２の内側面１２２の表面上に印刷層を形成することによって、従来のシュリンクフィルムよりも表示部の領域を増加させることができる。これにより、筒状体のほぼ全周にわたって重ねられた領域分、フィルムの表面積を増加させることができ、これにより表示部の領域を増加させることができる。したがって、従来のシュリンクフィルムよりも表示部の領域を増加させることができるので、より多くの情報を表示させることができる。なお、図３のシュリンクラベル１においては、内側フィルム１２の外側面１２１には印刷層を形成していないが、裏刷り層１５の代わりに表刷り層を印刷によって形成してもよい。
【００２８】
表刷り層１４と裏刷り層１５に記載された表示内容は、次のようにして見る、または読むことができる。図３に示すミシン目１８と１９で挟まれた外側フィルム１１の領域を切り裂く。そうすると、図４に示すように、外側フィルム１１の部分が開放され、矢印Ｒに示す方向から表刷り層１４に記載された表示内容を見る、または読むことができる。また、矢印Ｓに示す方向から透明の内側フィルム１２を通じて裏刷り層１５に記載された表示内容を見る、または読むことができる。裏刷り層１５の代わりに内側フィルム１２の外側面１２１に表刷り層を印刷によって形成すれば、矢印Ｓに示す方向から、その表刷り層に記載された表示内容を見る、または読むことができる。
【００２９】
また、図３に示されたシュリンクラベル１においては、筒状体のほぼ全周にわたって重ねられたフィルムの間に情報を記載した表示物を介在させることができる。すなわち、重ねられた外側フィルム１１と内側フィルム１２との間の空間に、紙ラベル等の表示物を介在させて添付することができる。これにより、筒状体の外周面の大きさ、すなわち、容器の外周面の大きさに依存することなく、重ねられたフィルム間に介在する表示物の表面積によって、より多くの情報を表示させることができる。
【００３０】
図３に示すシュリンクラベル１を容器の外周面へ付着する方法は次のようにして行なわれる。シュリンクラベル１を円筒状等の容器の外周面に合わせて広げて、容器の外周面を覆うように筒状体の内部に容器を挿入することによって、シュリンクラベル１を容器の外周面に装着した後、加熱する。このとき、シュリンクラベル１は熱収縮性フィルムから構成されているので、シュリンクラベル１が収縮する。その結果、シュリンクラベル１が容器の外周面上に密着し、付着する。
【００３１】
熱収縮性フィルムの材料としては、たとえば、ポリスチレン系樹脂フィルム、ポリエチレンテレフタレート（ＰＥＴ）等のポリエステル系樹脂フィルム、塩化ビニル系樹脂フィルム等が用いられる。接着剤層１６と１７の材料は、酢酸エチルを溶剤として用いて、フィルムの材料としてポリスチレン系樹脂フィルムが用いられる場合にはシクロヘキサンを主成分とするものが用いられ、フィルムの材料としてポリエステル系樹脂フィルムまたは塩化ビニル系樹脂フィルムが用いられる場合には１−３ジオキシランを主成分とするものが用いられる。具体的には、接着剤は大阪印刷インキ製造株式会社製の感熱接着剤が用いられる。なお、接着剤を用いないで熱溶着（ヒートシール）によってフィルム間を接着してもよい。
【００３２】
本発明のシュリンクラベルは、飲料、食料、薬剤等の種々の物質を液体、粉末等の形態でボトル等の種々の形態または材料からなる容器の外周面に付着させて用いられる。また、本発明のシュリンクラベルは、容器の内容物の種類に応じて、消費者に必要な様々な情報を図柄、文字、画像等の形態で容器の外周面に表示させるために用いることができる。本発明のシュリンクラベルの適用範囲は、容器の材料または形態、容器の内容物の種類に限定されるものではない。
【００３３】
上記の実施の形態では、シュリンクラベルを構成する外側フィルムと内側フィルムの表面上に表刷り層または裏刷り層を印刷によって形成しているが、種々の印刷方法によって印刷層を重ね合わせてもよく、多色刷りの層を形成してもよい。
【００３４】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００３５】
【図１】本発明の一つの実施の形態に従ったシュリンクラベルの第１の製造工程における横断面を示す図である。
【図２】本発明の一つの実施の形態に従ったシュリンクラベルの第２の製造工程における横断面を示す図である。
【図３】本発明の一つの実施の形態に従ったシュリンクラベルの完成品の横断面を示す図である。
【図４】本発明の一つの実施の形態のシュリンクラベルにおいて外側フィルムを引き剥がした状態の横断面を示す図である。
【図５】従来のシュリンクラベルの横断面を示す断面図である。
【図６】従来のシュリンクラベルにおいて外側フィルムを引き剥がした状態の横断面を示す図である。
【符号の説明】
【００３６】
１：シュリンクラベル、１１:外側フィルム、１２:内側フィルム、１３，１５:裏刷り層、１４：表刷り層、１６，１７:接着剤層、Ｆ：折り返し部分
【図１】
2005099561.tif 000003
【図２】
2005099561.tif 000004
【図３】
2005099561.tif 000005
【図４】
2005099561.tif 000006
【図５】
2005099561.tif 000007
【図６】
2005099561.tif 000008